(57)【要約】【課題】本発明は、簡易で、冷却温度の調節も容易に可能で、且つ、効率の良い、携帯用帽子、ヘルメット用冷却剤を提供することにある。【解決手段】気化潜熱を利用した冷却材において揮発ガス以外の成分が３．０容量％以下とし、帽子やヘルメットの内面全体に噴霧するアクチュエーターと、主に汗取りバンドを冷却するためのチューブを装着させ、しかも、該チューブの先端を段階的に広げることを特徴の冷却剤を提供することにある。【選択図】図１
2018068993.tif 000002
【特許請求の範囲】
【請求項１】
揮発性ガスを帽子やヘルメット等の内面に噴霧し、冷却または凍結させることを目的とするエアゾール冷却剤において、揮発性ガス以外の成分が、２．５容量％以下であることを特徴とする頭部用冷却剤。
【請求項２】
帽子やヘルメット等の内面を広く冷却するためのアクチュエーターと、帽子内面の汗取りバンドを冷却するために該アクチュエーターにチューブを装着したことを特徴とする請求項１記載の頭部用冷却剤。
【請求項３】
アクチュエーターに装着するチューブの先端が、汗取りバンドの幅に対応する噴射角を得られるよう段階的に広げていることを特徴とする請求項２記載の頭部用冷却剤。
【発明の詳細な説明】
【発明の詳細な説明】
【技術分野】
【０００１】本発明は、広くは、夏季の熱中症対策や、眠気防止、気分転換のためのリフレッシュに関するものであり、より具体的には被っている帽子やヘルメットを冷やす冷却剤に関する。
【背景技術】
【０００２】本発明者は、揮発性ガスを噴霧すると、その気化潜熱により、噴霧された部位が冷却または凍結することに着目し、本発明を得た。【０００３】
【発明の背景】
【０００４】  熱中症の予防は、長年の課題であったが、近年は、地球温暖化の影響もあり、本邦では、特に注目を浴びる社会的問題となっている。
【０００５】そこで、本発明は、夏期災害の長年の課題であった熱中症を大幅に減少する効果を発揮することが出来るものである。
【０００６】毎年の災害統計では熱中症による健康障害、死亡災害が多発しており、厚生労働省としても重点施策として、毎年強調しているが、ほとんど減少していないのが現状である。
【０００７】熱中症は、暑熱環境下においての身体適応の障害によっておこる状態の総称である。本質的には、脱水による体温上昇と、体温上昇に伴う臓器血流低下と多臓器不全で、表面的な症状として主なものは、めまい、失神、頭痛、吐き気、強い眠気、気分が悪くなる、体温の異常な上昇、異常な発汗（または汗が出なくなる）などがある。また、熱中症が原因で死亡する事もある。
【０００８】特に、意識がボーっとしたり、めまい等の軽度の段階で対処できないと、意識を失ったり、肝臓や腎臓の機能が障害されたりする。また、熱（高温）そのものも各臓器の働きを悪化させる。
【０００９】周知のごとく、本邦の夏季の熱負荷は強く、特にハイキングや登山等の野外活動、屋外スポーツや、建設業等では、屋外での活動がほとんどで、活動時使用できる夏季対策が渇仰されていた。
【０００１０】従来の夏季の暑さ対策は、水を浸した布等のカバーで気化潜熱を利用したものや、屋内外の作業場、工事現場等においては、ヘルメットに小さな通気孔を空けたり、ヘルメットの内側に、インナーキャップを着用して、汗を吸収させ不快感を緩和したり、水で濡らしたインナーキャップを着用する等の方法が取られて来たが、夏季の暑さに対し十分な効果を発揮しないため、熱中症の予防対策として万全のものとは言い難いものであった。
【先行技術文献】
【００１１】従来の特許出願例からすると、特開２００３−４９３１７号では、ヘルメットに電動冷却ファンを配置し、該電動冷却ファンの周辺部に噴射ノズルを配置して、冷却剤を電動冷却ファンによって飛散させる技術があった。
【００１２】また、特開２００５−４２２６１号では、ヘルメットに冷却バッグにパイプを介して冷気スプレーを備えたことによりヘルメット内部を冷却させる技術があった。
【００１３】しかしながら、特開２００３−４９３１７号も、特開２００５−４２２６１号も、携行するには大掛かりな装置とならざるを得ず、その重量も過大なものとならざるを得ない問題点があった。
また、被覆電線や給水管、パイプが、動作の障害になるものであった。
【００１４】加えて、特開２００５−４２２６１号に関しては、冷却温度の調節が困難であり、操作の如何によっては、過度の冷却効果が生じ、凍傷等の不測の事態が生じる虞があった。
【特許文献】
【００１５】
【特許文献１】［特開２００３−４９３１７号］
【特許文献２】［特開２００５−４２２６１号］
【発明の概要】
【発明が解決しようとする課題】
【００１６】本発明は、簡易で、軽く、パイプなどの付属物による動作の障害もなく、且つ、効率の良い、携帯用帽子、ヘルメット用冷却剤を提供することにある。
【課題を解決するための手段】
【００１７】発明者らは鋭意検討の結果、冷却効率を高めるため、気化潜熱を利用した冷却剤において揮発ガス以外の成分が３．０容量％以下とし、帽子やヘルメットの内面全体に噴霧するアクチュエーターと、主に汗取りバンドを冷却するためのチューブを装着させ、しかも、該チューブの先端を段階的に広げることを特徴とするものである。
【発明を実施するための形態】
【００１８】エアゾール缶内に、揮発性ガスと、３．０容量％以下の所望の成分を充填したエアゾールであり、アクチュエーターに着脱可能なチューブを装着してなり、該チューブの先端は汗取りバンドの幅に適合した噴霧幅になるように段階的に広げていることを特徴とするものである。
【００１９】具体的には、本発明の組成物については、以下で詳しく説明する様々な成分を含むことができる。
【噴射剤（揮発性ガス）】
【００２０】下記ガスの１種又は２種以上を配合することができる。
・  ＬＰＧ
・  ＤＭＥ（ジメチルエーテル）
・  ＨＦＯ−１２３４ｚＥ
・  その他の揮発性ガス
【揮発性ガス以外の成分】
【００２１】主に、夏場の暑気に対応する冷却材であるから、汗に伴う頭髪の臭い対策にも強い要請がある。
加えて、汗に伴う菌汚染、制汗、鎮痒、収れん等、多岐にわたる要請があり、該成分を複合的に配合するために界面活性剤も利用される。
【００２２】ところが、揮発性ガス以外の成分の配合量が高まるに従い、ガスの気化潜熱が揮発性ガス以外の成分の冷却に消費され、目的物である帽子やヘルメットを冷やす能力の低下がみられる。
【００２３】そこで、試行錯誤の結果、揮発性ガス以外の成分は、３．０容量％以下、好ましくは２．５容量％以下、より好ましくは２．０容量％以下が、帽子やヘルメットを冷やす能力と、消臭効果などの付随する効果とのバランスが良好であった。
【００２４】揮発性ガス以外の成分は、既存の消臭成分等を配合させることができるが、特に上記ガスに溶ける性質の成分が好ましい。
【溶剤】
【００２５】溶剤としては、エタノール、２−プロパノール（イソプロピルアルコール）、ブタノール、イソブチルアルコール等の低級アルコール類；プロピレングリコール、１，３−ブチレングリコール、ジエチレングリコール、ジプロピレングリコール、イソペンチルジオール等のグリコール類；ジエチレングリコールモノエチルエーテル（エトキシジグリコール）、エチレングリコールモノエチルエーテル、エチレングリコールモノブチルエーテル、トリエチレングリコールモノエチルエーテル、ジエチレングリコールジエチルエーテル、ジエチレングリコールジブチルエーテル、プロピレングリコールモノエチルエーテル、ジプロピレングリコールモノエチルエーテル等のグリコールエーテル類；エチレングリコールモノエチルエーテルアセテート、ジエチレングリコールモノエチルエーテルアセテート、プロピレングリコールモノエチルエーテルアセテート等のグリコールエーテルエステル類；コハク酸ジエトキシエチル、エチレングリコールジサクシネート等のグリコールエステル類；ベンジルアルコール、ベンジルオキシエタノール、炭酸プロピレン、炭酸ジアルキル、アセトン、酢酸エチル、Ｎ−メチルピロリドン；トルエンがあげられる。
【消臭剤】
【００２６】消臭剤は、例えば以下のものを配合することができる。
・  柿タンニン
・  緑茶エキス
・  トウモロコシ由来成分
・  酸化亜鉛
・  酸化マグネシウムなど
【抗菌剤】
【００２７】抗菌剤は、例えば以下のものを配合することができる。
・  トリクロロカルバン
・  セスキテルペンアルコール
・  銀担持ゼオライト
・  くん液など
【制汗剤】
【００２８】制汗剤は、例えば以下のものを配合することができる。
・  クロルヒドロキシアルミニウム
・  塩化アルミニウム
・  酸化亜鉛
・  パラフェノールスルホン酸亜鉛等。
【その他の成分】
【鎮痒剤】
【００２９】鎮痒剤として、塩酸ジフェンヒドラミン、マレイン酸クロルフェニラミン、カンファー、サブスタンス−Ｐ阻害剤等を例示することができる。
【収れん剤】
【００３０】収れん剤としては、クエン酸、酒石酸、乳酸、硫酸アルミニウム・カリウム、タンニン酸等を例示することができる。
【消炎剤・抗炎症剤】
【００３１】消炎剤・抗炎症剤としては、グリチルリチン酸及びその誘導体、グリチルレチン酸誘導体、サリチル酸誘導体、ヒノキチオール、グアイアズレン、アラントイン、インドメタシン、酸化亜鉛、酢酸ヒドロコーチゾン、プレドニゾン、塩酸ジフェドラミン、マレイン酸クロルフェニラミン；桃葉エキス、蓬葉エキス等の植物エキスが好ましいものとして挙げられる。
【保湿剤・感触向上剤】
【００３２】保湿剤・感触向上剤として、グリセリン、１，３−ブチレングリコール、プロピレングリコール、３−メチル−１，３−ブタンジオール、１，３−プロパンジオール、２−メチル−１，３−プロパンジオール、トリメチロールプロパン、ペンタエリスリトール、ヘキシレングリコール、ジグリセリン、ポリグリセリン、ジエチレングリコール、ポリエチレングリコール、ジプロピレングリコール、ポリプロピレングリコール、エチレングリコール・プロピレングリコール共重合体等のポリオール類及びその重合体；ジエチレングリコールモノエチルエーテル（エトキシジグリコール）、エチレングリコールモノエチルエーテル、エチレングリコールモノブチルエーテル、ジエチレングリコールジブチルエーテル等のグリコールアルキルエーテル類；ソルビトール、キシリトール、エリスリトール、マンニトール、マルチトール等の糖アルコール類；グルコース、フルクトース、ガラクトース、マンノース、トレオース、キシロース、アラビノース、フコース、リボース、デオキシリボース、マルトース、トレハロース、ラクトース、ラフィノース、グルコン酸、グルクロン酸、シクロデキストリン類（α−、β−、γ−シクロデキストリン、及び、マルトシル化、ヒドロキシアルキル化等の修飾シクロデキストリン）、β−グルカン、キチン、キトサン、ヘパリン及び誘導体、ペクチン、アラビノガラクタン、デキストリン、デキストラン、グリコーゲン、エチルグルコシド、メタクリル酸グルコシルエチル重合物若しくは共重合物等の糖類及びその誘導体類；ヒアルロン酸、ヒアルロン酸ナトリウム；コンドロイチン硫酸ナトリウム；ムコイチン硫酸、カロニン硫酸、ケラト硫酸、デルマタン硫酸；シロキクラゲ抽出物、シロキクラゲ多糖体；フコイダン；チューベロース多糖体、天然由来多糖体；クエン酸、酒石酸、乳酸等の有機酸及びその塩；尿素；２−ピロリドン−５−カルボン酸及びそのナトリウム等の塩；ベタイン（トリメチルグリシン）、プロリン、ヒドロキシプロリン、アルギニン、リジン、セリン、グリシン、アラニン、フェニルアラニン、チロシン、β−アラニン、スレオニン、グルタミン酸、グルタミン、アスパラギン、アスパラギン酸、システイン、シスチン、メチオニン、ロイシン、イソロイシン、バリン、トリプトファン、ヒスチジン、タウリン等のアミノ酸類及びその塩；コラーゲン、魚由来コラーゲン、アテロコラーゲン、ゼラチン、エラスチン、コラーゲン分解ペプチド、加水分解コラーゲン、塩化ヒドロキシプロピルアンモニウム加水分解コラーゲン、エラスチン分解ペプチド、ケラチン分解ペプチド、加水分解ケラチン、コンキオリン分解ペプチド、加水分解コンキオリン、シルク蛋白分解ペプチド、加水分解シルク、ラウロイル加水分解シルクナトリウム、大豆蛋自分解ペプチド、小麦蛋自分解ペプチド、加水分解小麦蛋白、カゼイン分解ペプチド、アシル化ペプチド等の蛋白ペプチド類及びその誘導体；パルミトイルオリゴペプチド、パルミトイルペンタペプチド、パルミトイルテトラペプチド等のアシル化ペプチド類；シリル化ペプチド類；乳酸菌培養液、酵母抽出液、卵殻膜タンパク、牛顎下腺ムチン、ヒポタウリン、ゴマリグナン配糖体、グルタチオン、アルブミン、乳��；塩化コリン、ホスホリルコリン；胎盤抽出液、エアラスチン、コラーゲン、アロエ抽出物、ハマメリス水、ヘチマ水、カモミラエキス、カンゾウエキス、コンフリーエキス、シルクエキス、イザヨイバラエキス、セイヨウノコギリソウエキス、ユーカリエキス、メリロートエキス等の動物・植物抽出成分、天然型セラミド（タイプ１、２、３、４、５、６）、ヒドロキシセラミド、疑似セラミド、スフィンゴ糖脂質、セラミド及び糖セラミド含有エキス等のセラミド類から選ばれる１種又は２種以上を配合することができる。
その他の植物・動物・微生物エキス類としては、アイリスエキス、アシタバエキス、アスナロエキス、アスパラガスエキス、アボガドエキス、アマチャエキス、アーモンドエキス、アルテアエキス、アルニカエキス、アンズエキス、アンズ核エキス、イチョウエキス、インチコウエキス、ウイキョウエキス、ウコンエキス、ウーロン茶エキス、ウワウルシエキス、エイジツエキス、エチナシ葉エキス、エンメイソウエキス、オウゴンエキス、オウバクエキス、オウレンエキス、オオムギエキス、オタネニンジンエキス、オトギリソウエキス、オドリコソウエキス、オノニスエキス、オランダカラシエキス、オレンジエキス、海水乾燥物、海藻エキス、カキ葉エキス、カキョクエキス、加水分解エラスチン、加水分解コムギ末、加水分解シルク、カッコンエキス、カロットエキス、カワラヨモギエキス、カラスムギエキス、カルカデエキス、キウイエキス、キオウエキス、キクラゲエキス、キナエキス、キューカンバーエキス、キリ葉エキス、グアノシン、グアバエキス、クジンエキス、クチナシエキス、クマザサエキス、クララエキス、クルミエキス、クリエキス、グレープフルーツエキス、クレマティスエキス、黒米エキス、黒砂糖抽出物、黒酢、クロレラエキス、クワエキス、ゲンチアナエキス、ゲンノショウコエキス、紅茶エキス、酵母エキス、コウボクエキス、コーヒーエキス、ゴボウエキス、コメエキス、コメ発酵エキス、コメヌカ発酵エキス、コメ胚芽油、コラーゲン、コケモモエキス、サイシンエキス、サイコエキス、サイタイ抽出液、サフランエキス、サルビアエキス、サボンソウエキス、ササエキス、サンザシエキス、サンシャエキス、サンショウエキス、シイタケエキス、ジオウエキス、シコンエキス、シソエキス、シナノキエキス、シモツケソウエキス、ジャトバエキス、シャクヤクエキス、ショウキュウエキス、ショウブ根エキス、シラカバエキス、白キクラゲエキス、スギナエキス、ステビアエキス、ステビア発酵物、西河柳エキス、セイヨウキズタエキス、セイヨウサンザシエキス、セイヨウニワトコエキス、セイヨウハッカエキス、セージエキス、ゼニアオイエキス、センキュウエキス、センブリエキス、ソウハクヒエキス、ダイオウエキス、ダイズエキス、タイソウエキス、タイムエキス、タンポポエキス、地衣類エキス、茶エキス、チョウジエキス、チガヤエキス、チンピエキス、ティートリー油、甜茶エキス、トウガラシエキス、トウキエキス、トウキンセンカエキス、トウニンエキス、トウヒエキス、ドクダミエキス、トマトエキス、納豆エキス、ニンジンエキス、ニンニクエキス、ノバラエキス、ハイビスカスエキス、バクモンドウエキス、ハスエキス、パセリエキス、バーチエキス、蜂蜜、パリエタリアエキス、ヒキオコシエキス、ビサボロール、ヒノキエキス、ビフィズス菌エキス、ビワエキス、フキタンポポエキス、フキノトウエキス、ブクリョウエキス、ブッチャーブルームエキス、ブドウエキス、ブドウ種子エキス、プロポリス、ベニバナエキス、ペパーミントエキス、ボダイジュエキス、ボタンエキス、ホップエキス、マイカイカエキス、マツエキス、マロニエエキス、ミズバショウエキス、ムクロジエキス、メリッサエキス、モズクエキス、モモエキス、ヤグルマギクエキス、ユキノシタエキス、ユズエキス、ユリエキス、ヨクイニンエキス、ヨモギエキス、ラベンダーエキス、緑茶エキス、卵殻膜エキス、リンゴエキス、ルイボス茶エキス、レイシエキス、レタスエキス、レモンエキス、レンギョウエキス、レンゲソウエキス、ローズエキス、ローズマリーエキス、ローマカミツレエキス、ローヤルゼリーエキス、ワレモコウエキス等のエキスが好ましいものとして挙げられる。
【００３３】また、必要に応じ界面活性剤を含むことができる。
界面活性剤は、陰イオン性、陽イオン性、非イオン性、両性界面活性剤又はそれらの混合物若しくは会合物であることができる。
組成物に含まれる界面活性剤は、好ましくは、少なくとも１種の陰イオン性又は陽イオン性界面活性剤を含む。また、該界面活性剤は、両性界面活性剤（真の両性又は両性イオン界面活性剤）、中性界面活性剤（非イオン性界面活性剤）を含むこともできる。
【００３４】具体的な界面活性剤として、ラウリン酸カリウム、ミリスチン酸カリウム等の脂肪酸塩；ラウリル硫酸ナトリウム、ラウリル硫酸トリエタノールアミン、ラウリル硫酸アンモニウム等のアルキル硫酸エステル塩；ラウレス硫酸ナトリウム、ラウレス硫酸トリエタノールアミン等のポリオキシエチレンアルキル硫酸塩；ココイルメチルタウリンナトリウム、ココイルメチルタウリンカリウム、ラウロイルメチルタウリンナトリウム、ミリストイルメチルタウリンナトリウム、ラウロイルメチルアラニンナトリウム、ラウロイルサルコシンナトリウム、ラウロイルサルコシントリエタノールアミン、ラウロイルグルタミン酸メチルアラニンナトリウム等のアシルＮ−メチルアミノ酸塩；ココイルグルタミン酸ナトリウム、ココイルグルタミン酸トリエタノールアミン、ラウロイルグルタミン酸ナトリウム、ミリストイルグルタミン酸ナトリウム、ステアロイルグルタミン酸ナトリウム、パルミトイルアスパラギン酸ジトリエタノールアミン、ココイルアラニントリエタノールアミン等のアシルアミノ酸塩；ラウレス酢酸ナトリウム等のポリオキシエチレンアルキルエーテル酢酸塩；ラウロイルモノエタノールアミドコハク酸ナトリウム等のコハク酸エステル塩；脂肪酸アルカノールアミドエーテルカルボン酸塩；アシル乳酸塩；ポリオキシエチレン脂肪アミン硫酸塩；脂肪酸アルカノールアミド硫酸塩；硬化ヤシ油脂肪酸グリセリン硫酸ナトリウム等の脂肪酸グリセリド硫酸塩；アルキルベンゼンポリオキシエチレン硫酸塩；α−オレフィンスルホン酸ナトリウム等のオレフィンスルホン酸塩；スルホコハク酸ラウリル２ナトリウム、スルホコハク酸ジオクチルナトリウム等のアルキルスルホコハク酸塩；スルホコハク酸ラウレス２ナトリウム、モノラウロイルモノエタノールアミドポリオキシエチレンスルホコハク酸ナトリウム、ラウリルポリプロピレングリコールスルホコハク酸ナトリウム等のアルキルエーテルスルホコハク酸塩；テトラデシルベンゼンスルホン酸ナトリウム、テトラデシルベンゼンスルホン酸トリエタノールアミン等のアルキルベンゼンスルホン酸塩；アルキルナフタレンスルホン酸塩；アルカンスルホン酸塩；α−スルホ脂肪酸メチルエステル塩；アシルイセチオン酸塩；アルキルグリシジルエーテルスルホン酸塩；アルキルスルホ酢酸塩；ラウレスリン酸ナトリウム、ジラウレスリン酸ナトリウム、トリラウレスリン酸ナトリウム、モノオレスリン酸ナトリウム等のアルキルエーテルリン酸エステル塩；ラウリルリン酸カリウム等のアルキルリン酸エステル塩；カゼインナトリウム；アルキルアリールエーテルリン酸塩；脂肪酸アミドエーテルリン酸塩；ホスファチジルグリセロール、ホスファチジルイノシトール、ホスファチジン酸等のリン脂質類；カルボン酸変性シリコーン、リン酸変性シリコーン、硫酸変性シリコーン等のシリコーン系陰イオン性界面活性剤等の陰イオン界面活性剤；ラウレス（ポリオキシエチレンラウリルエーテル）類、セテス（ポリオキシエチレンセチルエーテル）類、ステアレス（ポリオキシエチレンステアリルエーテル）類、ベヘネス類（ポリオキシエチレンベヘニルエーテル）、イソステアレス（ポリオキシエチレンイソステアリルエーテル）類、オクチルドデ��ス（ポリオキシエチレンオクチルドデシルエーテル）類等の種々のポリオキシエチレン付加数のポリオキシエチレンアルキルエーテル類；ポリオキシエチレンアルキルフェニルエーテル；ポリオキシエチレン硬化ヒマシ油、ポリオキシエチレンヒマシ油、ポリオキシエチレン硬化ヒマシ油モノイソステアレート、ポリオキシエチレン硬化ヒマシ油トリイソステアレート、ポリオキシエチレン硬化ヒマシ油モノピログルタミン酸モノイソステアリン酸ジエステル、ポリオキシエチレン硬化ヒマシ油マレイン酸等のヒマシ油及び硬化ヒマシ油誘導体；ポリオキシエチレンフィトステロール；ポリオキシエチレンコレステロール；ポリオキシエチレンコレスタノール；ポリオキシエチレンラノリン；ポリオキシエチレン還元ラノリン；ポリオキシエチレン・ポリオキシプロピレンセチルエーテル、ポリオキシエチレン・ポリオキシプロピレン２−デシルテトラデシルエーテル、ポリオキシエチレン・ポリオキシプロピレンモノブチルエーテル、ポリオキシエチレン・ポリオキシプロピレン水添ラノリン、ポリオキシエチレン・ポリオキシプロピレングリセリンエーテル等のポリオキシエチレン・ポリオキシプロピレンアルキルエーテル；ポリオキシエチレン・ポリオキシプロピレングリコール；ＰＰＧ−９ジグリセリル等の（ポリ）グリセリンポリオキシプロピレングリコール；ステアリン酸グリセリル、イソステアリン酸グリセリル、パルミチン酸グリセリル、ミリスチン酸グリセリル、オレイン酸グリセリル、ヤシ油脂肪酸グリセリル、モノ綿実油脂肪酸グリセリン、モノエルカ酸グリセリン、セスキオレイン酸グリセリン、α，α’−オレイン酸ピログルタミン酸グリセリン、モノステアリン酸グリセリンリンゴ酸等のグリセリン脂肪酸部分エステル類；ステアリン酸ポリグリセリル−２、同３、同４、同５、同６、同８、同１０、ジステアリン酸ポリグリセリル−６、同１０、トリステアリン酸ポリグリセリル−２、デカステアリン酸ポリグリセリル−１０、イソステアリン酸ポリグリセリル−２、同３、同４、同５、同６、同８、同１０、ジイソステアリン酸ポリグリセリル−２（ジイソステアリン酸ジグリセリル）、同３、同１０、トリイソステアリン酸ポリグリセリル−２、テトライソステアリン酸ポリグリセリル−２、デカイソステアリン酸ポリグリセリル−１０、オレイン酸ポリグリセリル−２、同３、同４、同５、同６、同８、同１０、ジオレイン酸ポリグリセリル−６、トリオレイン酸ポリグリセリル−２、デカオレイン酸ポリグリセリル−１０等のポリグリセリン脂肪酸エステル；モノステアリン酸エチレングリコール等のエチレングリコールモノ脂肪酸エステル；モノステアリン酸プロピレングリコール等のプロピレングリコールモノ脂肪酸エステル；ペンタエリスリトール部分脂肪酸エステル；ソルビトール部分脂肪酸エステル；マルチトール部分脂肪酸エステル；マルチトールエーテル；ソルビタンモノオレエート、ソルビタンモノイソステアレート、ソルビタンモノラウレート、ソルビタンモノパルミテート、ソルビタンモノステアレート、ソルビタンセスキオレエート、ソルビタントリオレエート、ペンタ−２−エチルヘキシル酸ジグリセロールソルビタン、テトラ−２−エチルヘキシル酸ジグリセロー���ソルビタン等のソルビタン脂肪酸エステル；ショ糖脂肪酸エステル、メチルグルコシド脂肪酸エステル、ウンデシレン酸トレハロース等の糖誘導体部分エステル；カプリリルグルコシド等のアルキルグルコシド；アルキルポリグリコシド；ラノリンアルコール；還元ラノリン；ポリオキシエチレンジステアレート、ポリチレングリコールジイソステアレート、ポリオキシエチレンモノオレエート、ポリオキシエチレンジオレエート等のポリオキシエチレン脂肪酸モノ及びジエステル；ポリオキシエチレン・プロピレングリコール脂肪酸エステル；ポリオキシエチレングリセリンモノステアレート、ポリオキシエチレングリセリンモノイソステアレート、ポリオキシエチレングリセリントリイソステアレート等のポリオキシエチレンモノオレエート等のポリオキシエチレングリセリン脂肪酸エステル；ポリオキシエチレンソルビタンモノオレエート、ポリオキシエチレンソルビタンモノステアレート、ポリオキシエチレンソルビタンモノオレート、ポリオキシエチレンソルビタンテトラオレエート等のポリオキシエチレンソルビタン脂肪酸エステル；ポリオキシエチレンソルビトールモノラウレート、ポリオキシエチレンソルビトールモノオレエート、ポリオキシエチレンソルビトールペンタオレエート、ポリオキシエチレンソルビトールモノステアレート等のポリオキシエチレンソルビトール脂肪酸エステル；ポリオキシエチレンメチルグルコシド脂肪酸エステル；ポリオキシエチレンアルキルエーテル脂肪酸エステル；ポリオキシエチレンソルビトールミツロウ等のポリオキシエチレン動植物油脂類；イソステアリルグリセリルエーテル、キミルアルコール、セラキルアルコール、バチルアルコール等のアルキルグリセリルエーテル類；多価アルコールアルキルエーテル；ポリオキシエチレンアルキルアミン；テトラポリオキシエチレン・テトラポリオキシプロピレン−エチレンジアミン縮合物類；サポニン、ソホロリピッド等の天然系界面活性剤；ポリオキシエチレン脂肪酸アミド；ヤシ油脂肪酸モノエタノールアミド（コカミドＭＥＡ）、ヤシ油脂肪酸ジエタノールアミド（コカミドＤＥＡ）、ラウリン酸モノエタノールアミド（ラウラミドＭＥＡ）、ラウリン酸ジエタノールアミド（ラウラミドＤＥＡ）、ラウリン酸モノイソプロパノールアミド（ラウラミドＭＩＰＡ）、パルミチン酸モノエタノールアミド（パルタミドＭＥＡ）、パルミチン酸ジエタノールアミド（パルタミドＤＥＡ）、ヤシ油脂肪酸メチルエタノールアミド（コカミドメチルＭＥＡ）等の脂肪酸アルカノールアミド類；ラウラミンオキシド、コカミンオキシド、ステアラミンオキシド、ベヘナミンオキシド等のアルキルジメチルアミンオキシド；アルキルエトキシジメチルアミンオキシド；ポリオキシエチレンアルキルメルカプタン；ジメチコンコポリオール等のポリエーテル変性シリコーン、ポリシロキサン・オキシアルキレン共重合体、ポリグリセリン変性シリコーン、糖変性シリコーン等のシリコーン系非イオン性界面活性剤等の非イオン界面活性剤；
陽イオン性界面活性剤では、ベヘントリモニウムクロリド、ステアルトリモニウムクロリド、セトリモニウムクロリド、ラウリルトリモニウムクロリド等のアルキルトリメチルアンモニウムクロリド；ステアリルトリモニウムブロミド等のアルキルトリメチルアンモニウムブロミド；ジステアリルジモニウムクロリド、ジココジモニウムクロリド等のジアルキルジメチルアンモニウムクロリド；ステアラミドプロピルジメチルアミン、ステアラミドエチルジエチルアミン等の脂肪酸アミドアミン及びその塩；ステアロキシプロピルジメチルアミン等のアルキルエーテルアミン及びその塩または四級塩；エチル硫酸長鎖分岐脂肪酸（１２〜３１）アミノプロピルエチルジメチルアンモニウム、エチル硫酸ラノリン脂肪酸アミノプロピルエチルジメチルアンモニウム等の脂肪酸アミド型四級アンモニウム塩；ポリオキシエチレンアルキルアミン及びその塩または四級塩；アルキルアミン塩；脂肪酸アミドグアニジウム塩；アルキルエーテルアミンモニウム塩；アルキルトリアルキレングリコールアンモニウム塩；ベンザルコニウム塩；ベンゼトニウム塩；塩化セチルピリジニウム等のピリジニウム塩；イミダゾリニウム塩；アルキルイソキノリニウム塩；ジアルキルモリホニウム塩；ポリアミン脂肪酸誘導体；アミノプロピルジメチコン及びアモジメチコン等のアミノ変性シリコーン、カチオン変性シリコーン、カチオン変性及びポリエーテル変性シリコーン、アミノ変性及びポリエーテル変性シリコーン等のシリコーン系陽イオン性界面活性剤等；ラウリルベタイン（ラウリルジメチルアミノ酢酸ベタイン）等のＮ−アルキル−Ｎ，Ｎ−ジメチルアミノ酸ベタイン；コカミドプロピルベタイン、ラウラミドプロピルベタイン等の脂肪酸アミドアルキル−Ｎ，Ｎ−ジメチルアミノ酸ベタイン；ココアンホ酢酸ナトリウム、ラウロアンホ酢酸ナトリウム等のイミダゾリン型ベタイン；アルキルジメチルタウリン等のアルキルスルホベタイン；アルキルジメチルアミノエタノール硫酸エステル等の硫酸型ベタイン；アルキルジメチルアミノエタノールリン酸エステル等のリン酸型ベタイン；ホスファチジルコリン、ホスファチジルエタノールアミン、ホスファチジルセリン、スフィンゴミエリン等のスフィンゴリン脂質、リゾレシチン、水素添加大豆リン脂質、部分水素添加大豆リン脂質、水素添加卵黄リン脂質、部分水素添加卵黄リン脂質、水酸化レシチン等のリン脂質類；シリコーン系両性界面活性剤等の両性界面活性剤；ポリビニルアルコール、アルギン酸ナトリウム、デンプン誘導体、トラガントガム、アクリル酸・メタアクリル酸アルキル共重合体；シリコーン系各種界面活性剤等の高分子界面活性剤をあげることができる。
【００３５】加えて、公知のさらなる成分を配合することが可能であり、配合された成分は、本発明組成物にさらなる特性を付与することができる。
【００３６】特に、冷感の増加を目的として、エタノール等のアルコール類、並びに冷感香料としてメントール類、ハッカ油などの配合も好まれるものである。
【００３７】これらの他、化粧品原料基準、化粧品種別配合成分規格、日本化粧品工業連合会成分表示名称リスト、ＩＮＣＩ辞書（Ｔｈｅ  Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋ）、医薬部外品原料規格、日本薬局方、医薬品添加物規格、食品添加物公定書等に記載されている成分、公知の化粧料成分、医薬品成分、食品成分などを、公知の組み合わせ及び配合比・配合量で含有させることが可能である。
【冷却剤の構成】
【００３８】アクチュエーターに着脱可能にチューブを設置することにより、帽子やヘルメットの内部を、全体と、部分の両方を必要に応じ使い分けて冷却することができる。
【００３９】アクチュエーターのみで噴霧する場合、帽子やヘルメットの内部全体を冷却することができる。
【００４０】また、アクチュエーターにチューブを設置すると、冷却部分に接触させて噴霧すると、飛散するガスが少なくなり、汗取りバンドを中心として部分的に効率よく冷却することができる。
【００４１】加えて、帽子やヘルメットの構造からすると、汗取りバンドは、吸湿性のある繊維製品で構成されることが多く、内部に不織布を設置させているものもある。
従って、使用時には、汗取りバンドに汗の水分が吸着されているものである。
【００４２】そこで、汗の水分は帽子やヘルメットを構成する繊維製品や樹脂に比べ比熱が高いので、本発明に関わる冷却剤の揮発性ガスによって、乾燥した部分より長時間の冷却時間を確保することができる。
【００４３】しかも、汗取りバンドの頭部との接地部分は、額、こめかみ、後頭部であり、熱中症時に冷却すると効果的な部分に重なるものであり、汗取りバンドの冷却は熱中症の処置として有用である。
【００４４】加えて、チューブの先端を汗取りバンドの幅に適合するように先端を広げることにより、より効率よく、汗取りバンドを冷却することができる。
【００４５】チューブ先端を広げるためには、適宜、漏斗状に広げることも有意だが、先端部分に口径の大きいチューブを設置するだけでも、簡便に所望の広角を得ることができる。
【実施例１】
【００４６】エアゾール容器１に下記の配合量のガスとその他成分を充填し、冷却剤とした。
・  ＬＰＧガス                                                ９８．０１容量％
・  エタノール                                                  １．３３容量％
・  消臭剤：緑茶エキス（白井松新薬株式会社製  フレッシュＥ）    ０．３３容量％
・  抗菌剤：くん液（ＯＣＩ株式会社製  ＯＣクール）              ０．３３容量％
【発明の効果】
【００４７】上記実施例１のエアゾール冷却材を未使用のキャップの内面に約３秒間噴霧したところ、ＬＰＧガスの気化潜熱によりキャップの内面全体を冷却することができた。
また、１０人のスポーツ練習者に、使用中のキャップの内面に約３秒間噴霧したところ、キャップの布素材に付着した汗が冷却され、冷熱の蓄熱材の作用が働き、冷却効果を持続することができた。
また、スポーツ後に、１０人中の７人が頭皮、頭髪の臭いが少なくなったと感じ、２人が汗疹や頭皮のかゆみが軽減したとの感想を述べた。
このことは、消臭剤：緑茶エキス、抗菌剤：くん液の作用によるものであると推測される。
【実施例２】
【００４８】図１に記載のごとく、実施例１のエアゾール容器１のアクチュエーター２に着脱可能にチューブ３を設置して冷却剤とした。【００４９】該チューブ３は、エアゾール式の殺虫剤を狭部に噴霧するためのチューブを代用することが可能である。
【発明の効果】
【００５０】チューブ３を装着しない場合には、帽子やヘルメットの内部全体を冷却することができる。
【００５１】また、アクチュエーター２にチューブ３を設置すると、飛散するガスが少なくなり、汗取りバンド６を中心として部分的に効率よく冷却することができる。
【実施例３】
【００５２】チューブ３の先端を汗取りバンド６の幅に適合するように先端を広げることにより、より効率よく、汗取りバンド６を冷却することができる。【００５３】図１で記載のごとく、チューブ３の先端を広げるために、先端部分に口径の大きいノズル４を設置するだけでも、簡便に所望の広角を得ることができる。
【発明の効果】
【００５４】本発明は、以上、述べた如く、冷却効率を高めるため、気化潜熱を利用した冷却剤において揮発ガス以外の成分が３．０容量％以下とすることで、成分面では冷却効率を保ちながら消臭等の様々な要請に応えることができる。
【００５５】また、帽子やヘルメットの内面全体に噴霧するアクチュエーターのみの構造と、主に汗取りバンドを冷却するためにアクチュエーターにチューブを装着させる構造を使い分けることにより、チューブの着脱で広範囲の冷却と部分冷却を使い分けることが可能である。
【００５６】加えて、部分冷却のためのチューブの先端部分に口径の大きいチューブを設置することにより、汗取りバンドの幅全体を効率良く冷却することができるものである。
【産業上の利用可能性】
【００５７】本発明は、各種スポーツにおける帽子やヘルメットも適用し得て、冷却帽子としても提供することができる。
【図面の簡単な説明】
【００５８】
【図１】本発明に係る冷却剤の一例の斜視図である。
【図２】帽子の下部斜視図である。
【図３】口径の大きなノズルを設置したチューブ先端部分の断面図である。
【符号の説明】
【００５９】  １    エアゾール容器
２    アクチュエーター
３    チューブ
４    ノズル
５    帽子
６    汗取りバンド
【図１】
2018068993.tif 000003
【図２】
2018068993.tif 000004
【図３】
2018068993.tif 000005